(57)【要約】【課題】            灯具本体２を二層構造にすることで、ランプ３による発熱を灯具本体２の外層部２０２に伝えにくくし、外層部２０２の温度上昇を抑制する。【解決手段】        内部にランプ３が配置され、断面形状はほぼ円形を成す灯具１を有する照明器具であって、灯具１は、ランプ３の周囲を覆う内層部２０１と、内層部２０１の周囲を覆う外層部２０２と、空気の対流が得られるように内層部２０１と外層部２０２とを所定空間を保って連結する連結部２０３と、を備えるので、発熱したランプ３の熱を直接外層部２０２に伝えることがなく、また輻射熱に対しても二層間に熱伝導率の低い空気が流れ、外層部２０２の温度が上がりにくくなるという効果が得られる。【選択図】          図１
2010027450.tif 000002
【特許請求の範囲】
【請求項１】
内部にランプが配置され、断面形状はほぼ円形を成す灯具であって、
前記灯具の灯具本体は、
前記ランプの周囲を覆う内層部と、
前記内層部の周囲を覆う外層部と、
空気の対流が得られるように前記内層部と前記外層部とを所定空間を保って連結する連結部と、を備えることを特徴とする灯具。
【請求項２】
外層部は、少なくとも内層部の周囲を覆う部分に、放熱孔が開けられていることを特徴とする請求項１に記載の灯具。
【請求項３】
灯具の断面形状が円形となる部分に対する垂直方向の長さが、内層部よりも外層部が長いことを特徴とする請求項１又は請求項２に記載の灯具。
【請求項４】
内層部と外層部と連結部とを一体成形することを特徴とする請求項１〜請求項３のいずれかに記載の灯具。
【請求項５】
請求項１〜請求項４の何れかに記載の灯具と、
前記灯具に回動可能に取り付けられるアーム部と、
前記アーム部が回動可能に取り付けられる器具本体と、
を備えることを特徴とする照明器具。
【発明の詳細な説明】
【技術分野】
【０００１】
本発明は、照明器具の灯具において、灯具の外周温度の温度上昇を抑制する技術に関するものである。
【背景技術】
【０００２】
従来の照明器具では、ランプによる発熱のうち、灯具本体内の熱を放熱するものが用いられてきた（例えば、特許文献１。）。
【０００３】
【特許文献１】実開昭５９―３４２８号公報（３頁３行目〜１６行目、第２図参照。）
【発明の開示】
【発明が解決しようとする課題】
【０００４】
スポットライト、ユニバーサルダウンライトのように照射方向を変化できる照明器具は設置後も人が触れる機会がある。しかしながら、近年、照明器具はデザインの小型化や使用されるランプが高出力化されているため、従来の灯具本体内の熱を放熱する手法では灯具本体の外周温度の温度上昇を抑制することが困難であるという課題があった。
【０００５】
本発明は、灯具の灯具本体を二層構造にすることで、ランプによる発熱を灯具本体の外層部に伝えにくくし、外層部の温度上昇を抑制することを目的とする。
【課題を解決するための手段】
【０００６】
本発明の灯具の灯具本体は、ランプの周囲を覆う内層部と、内層部の周囲を覆う外層部と、空気の対流が得られるように内層部と外層部とを所定空間を保って連結する連結部とを備えることを特徴とする。
【発明の効果】
【０００７】
本発明によれば、灯具の灯具本体を内層部と外層部の二層構造にすることで、発熱したランプの熱を直接外層部に伝えることがなく、また輻射熱に対しても二層間に熱伝導率の低い空気が流れ、外層部の温度が上がり難くなるという効果が得られる。
【発明を実施するための最良の形態】
【０００８】
実施の形態１．
図１は、本発明の実施の形態１における灯具の斜視図であり、図２は、図１に示した灯具の正面図であり、図３は、図２に示す灯具のＡ−Ｂ断面図である。
【０００９】
灯具１は、底面の直径の異なる２つの円筒形状からなり、断面形状が略凸形状の灯具本体２と、ハロゲンランプ３が取り付けられるランプソケット４と、ハロゲンランプ３が発する光を反射する反射板５と、を備えている。
【００１０】
灯具本体２は、内層部２０１と、外層部２０２と、内層部２０１と外層部２０２を所定距離（例えば２ｍｍ〜１０ｍｍ程度）を保つように連結する４つの連結部２０３を備えており、中空形状の略円筒形状をなすように、アルミダイキャストによって一体加工されている。
【００１１】
略コの字形状をなすアーム部６が、特殊ボルト７と内側からナット８によって接続され、アーム部６の先端部には灯具１が、ツマミネジ９と内側からナット１０によって接続されている。
【００１２】
特殊ボルト７は、アーム部６と後述する器具本体１１とを繋いでいる。アーム部６は、特殊ボルト７を軸にして、略３６０°回転することができ、灯具１を左右方向に首振り可能にしている。
【００１３】
灯具１は、ツマミネジ９を軸として、上下方向に回転することができ、特殊ボルト７が天井側に設置された状態とき、真下方向から略１５０°の範囲で角度を変更することができる。
【００１４】
内層部２０１の内側には、ランプソケット４と、反射板５が取り付けられる。
【００１５】
次に、本実施の形態の灯具におけるハロゲンランプが発する熱伝導について説明する。
【００１６】
点灯装置１２からハロゲンランプ３への点灯指令が送出されると、ハロゲンランプ３が発光し、反射板５によって配光制御されて床や壁などを照射する。一方、ハロゲンランプ３は、発光と同時に発熱を開始する。
【００１７】
このハロゲンランプ３による熱は、反射板５へ放射または伝導し、次いで内層部２０１に伝導する。これにより、内層部２０１の内周温度が上昇する。
【００１８】
このとき、内層部２０１と外層部２０２は接している面積が少ないので、一層構造による灯具部に比べ、内層部２０１から外層部２０２への熱伝導が抑制される。さらに内層部２０１と外層部２０２の間には、例えば灯具１が天井に設置されたときでは、下方から上方へ熱伝導率の低い空気の対流が発生し、内層部２０１から外層部２０２への輻射熱による熱伝導を一層抑制することができる。
【００１９】
内層部２０１と外層部２０２との距離を１０ｍｍとした時の内層部２０１の外周温度及び外層部２０２の内周温度、外周温度の測定結果を表１に示す。
【００２０】
測定箇所は、灯具を天井に取り付けた際、天井側に位置する灯具の部分を灯具上部とし、床面側に位置する灯具の部分を灯具下部とする。
【００２１】
また、内層部２０１と外層部２０２が対面する部分の温度を、それぞれ内層部２０１の外周温度、外層部２０２の内周温度として測定し、外層部２０２の内周温度を測定した部分の裏面側を外層部２０２の外層温度として測定した。
【００２２】
【表１】
2010027450.tif 000003
【００２３】
この測定結果より、外層部２０２の外周温度は、内層部２０１の内周温度に対して、灯具１の灯具上部及び灯具下部のいずれの部位においても３０〜３５％程度温度が低くなる。
【００２４】
なお、本実施の形態では、灯具１に取り付けられるランプとしてハロゲンランプ３を用いる場合を説明したが、ランプの種類はこれに限るものではない。
【００２５】
また、本実施の形態では、連結部２０３を４つ備える場合について説明したが、４つに限られるものではなく、内層部２０１と外層部２０２との間に中空形状を保つようにできれば１つであってもよいし、少なくとも２つ（好ましくは３つ以上）の連結部２０３を備えると、連結部２０３の強度が高くなり、外圧などが外層部２０２に加わったとき、内層部２０１との所定距離が短くなるような外層部２０２の変形がし難いので、中空形状を保ちやすい。
【００２６】
この実施の形態では、所定距離を２ｍｍ〜１０ｍｍ程度の場合について説明したが、１０ｍｍよりも長くなると、ユーザーが灯具１を操作する際に内層部２０１と外層部２０２との間に指が入りやすくなるため内層部２０１を直接触れることがあり、２ｍｍ未満になると、内層部２０１と外層部２０２との距離が短くなるため、放熱に作用する対流が小さくなって充分な放熱量が得られなくなることがある。
【００２７】
実施例１．
本実施例は、点灯装置を内蔵した器具本体に、本実施の形態の灯具を取り付けて、スポットライト型の照明器具を構成したものである。
【００２８】
図４は、実施例１における照明器具の斜視図である。
【００２９】
照明器具３００ａは、点灯装置３０１を内蔵した略直方体からなる器具本体３０２ａと、この器具本体３０２の長手方向の端部側から突出する略コの字形状をなすアーム部６と、このアーム部６の略コの字形状の先端に取り付けられる灯具１とを備える構造となっている。
【００３０】
器具本体３０２には、略コの字形状をなすアーム部６が、特殊ボルト７と内側からナット８によって接続され、アーム部６の先端部には灯具１が、ツマミネジ９と内側からナット１０によって接続されている。
【００３１】
特殊ボルト７は器具本体３０２とアーム部６を繋いでいる。アーム部６は、特殊ボルト７を軸にして、略３６０°回転することができ、灯具１を左右方向に首振り可能にしている。
【００３２】
灯具１は、ツマミネジ９を軸として、上下方向に回転することができ、照明器具３００ａが器具本体３０２を上向きとして天井のダクトレールに設置された状態とき、真下方向から略１５０°の範囲で角度を変更することができる。
【００３３】
実施例２．
本実施例は、天井に設けられた天井埋め込み穴に挿入されて固定される器具本体に、本実施の形態の灯具を器具本体から突出するように取り付けて、ダウンスポット型の照明器具を構成したものである。
【００３４】
図５は、実施例２における照明器具の斜視図である。
【００３５】
照明器具３００ｂは、天井に開けられる取付穴３０３に埋込固定される器具本体３０２ｂと、略コの字形状をなすアーム部６と、灯具１から構成されている
【００３６】
アーム部３は、灯具１と器具本体３０２ｂとを接続し、特殊ボルト６を軸にして、灯具１を略３６０°回転することができ、左右方向に首振り可能にしている。
【００３７】
灯具１は、ツマミネジ９を軸として、上下方向に回転することができ、真下方向から略９０°の範囲で角度を変更することができ、ユーザーは自由に照射方向を変更できる。
【００３８】
実施例３．
本実施例は、天井に設けられた天井埋め込み穴に挿入されて固定される器具本体に、本実施の形態の灯具を器具本体内に収納するように取り付けて、ユニバーサルダウンライト型の照明器具を構成したものである。
【００３９】
図６は、実施例３における照明器具の斜視図である。
【００４０】
照明器具は、略シルクハット形状からなる器具本体を有し、灯具を器具本体の内側に収容している。
【００４１】
照明器具３００ｃは、天井に開けられる取付穴３０３に器具本体３０２ｂが挿入され、器具本体３０２ｂに備えられている取付部３０４によって固定され、天井に取り付けられている。
【００４２】
天井に空けられた取付穴３０４に埋め込み固定した器具本体３０２ｂと、器具本体３０２ｂの内側に首振り可能に設けられた灯具１を備えている。
【００４３】
灯具１は、ツマミネジ９を軸として上下方向に回動可能としているので、天井に設置されるときの照明器具３００ｃに対する真下方向から略６０°の範囲で角度を変更することができ、ユーザーは任意に照射方向を変更できる。
【００４４】
実施の形態２．
図４は、本実施の形態における灯具の斜視図であり、図５は、図４に示す灯具の正面図であり、図６は、図５に示す灯具のＡ−Ｂ断面図である。
【００４５】
図４〜図６に記載の灯具は、図１〜図３に記載の灯具に、放熱孔が開けられた外層部２０２を備えたものである。
【００４６】
図４〜図６において、図１〜図３と同様の部分においては、同符号を付し、その説明を省略する。
【００４７】
灯具の外層部２０４の略円筒形状の外周にパンチング加工により、ほぼ円形の放熱孔１３が開けられている。
【００４８】
なお、放熱孔１３を外層部２０４に開ける加工方法は、パンチング加工に限られるものではなく、例えば、外層部２０２を成形するとき放熱孔１３を予め型によって加工してもよい。
【００４９】
また、内層部２０１と外層部２０４は放熱孔１３の加工時に残す４箇所の連結部２０３によって所定距離（例えば５ｍｍ程度）を保つように連結されている。
【００５０】
ハロゲンランプ３を点灯すると、ハロゲンランプ３は光を発するとともに発熱する。このハロゲンランプ３が発熱した熱は、放射熱として内層部２０１の内周に伝わり、さらに内層部２０１が熱せられた熱が、放射熱として外層部２０４の内周に伝わる。このようにして、ハロゲンランプ３が発熱した熱が、放射熱として外層部２０４まで伝えられるが、ハロゲンランプ３と内層部２０１との間の空気の対流、内層部２０１と外層部２０４との間の空気の対流により放熱される。
【００５１】
外層部２０４に開けられた放熱孔１３により、内層部２０１と外層部２０４との間の対流のほか、放熱孔１３によって、放射熱が灯具１の外方に放出される。
【００５２】
このように、外層部２０４は複数の放熱孔１３を備えているので、内層部２０１と外層部２０４の空間からだけではなく、放熱孔１３を介して内層部２０１が熱せられた熱が、外気に放熱される。
【００５３】
したがって、内層部２０１と外層部２０４と間の放熱性を向上し、外層部２０２の温度の上昇を更に抑制するという効果を奏する。
【００５４】
このように、放熱孔があけられた外層部２０４を備えることで、空気の流れが良くなり、放熱性が向上して、外層部２０２ａの温度が上がり難くなるという効果が得られる。
【００５５】
この灯具は、実施の形態１と同様に、スポットライト型照明器具、ダウンスポット型照明器具、ユニバーサルダウンライト照明器具などとして用いられる。
【００５６】
なお、本実施の形態では、灯具１に取り付けられるランプとしてハロゲンランプ３を用いる場合を説明したが、ランプの種類はこれに限るものではない。
【００５７】
実施の形態３．
図１０は、本実施の形態における灯具の正面図であり、図１１は、図１０に示す灯具のＡ−Ｂ断面図である。
【００５８】
図１０に記載の灯具は、図３に記載の灯具の外層部２０２の形状を内層部２０１よりも長くするものである。
【００５９】
図１０、図１１において、図１〜図３と同様の部分においては、同符号を付し、その説明を省略する。
【００６０】
灯具１は、内層部２０１と外層部２０４とから構成されており、内層部２０１の略円筒形状の高さ方向の長さは、外層部２０２ａの略円筒形状の高さ方向の長さよりも短い。
【００６１】
言い換えると、内層部２０１の長さより外層部２０２ａの長さを長くして、ハロゲンランプ３が照射する方向に、内層部２０１よりも外層部２０４が突出するようにしている。このように、内層部２０１よりも外層部２０２ａが突出するので、ユーザーが内層部２０１に触れる可能性が低くなる。
【００６２】
さらに、図１２に示すように、外層部２０２ａを長くする範囲（内層部２０１に対して突出させる範囲）を、ハロゲンランプ３から照射された光が内層部２０１で遮光される範囲Ｇまでとすれば、ハロゲンランプ３の光が内層部２０１で遮光されるので、外層部２０２ａの内周側に直接照射されることがなく、したがって、内層部２０１の縁と外層部２０２ａの縁が光源の光によって２重のリング状に光って見えるということがない見栄えのよい状態が保たれる。
【００６３】
この灯具は、実施の形態１と同様に、スポットライト型照明器具、ダウンスポット型照明器具、ユニバーサルダウンライト照明器具などとして用いられる。
【００６４】
なお、本実施の形態では、灯具１に取り付けられるランプとしてハロゲンランプ３を用いる場合を説明したが、ランプの種類はこれに限るものではない。
【００６５】
実施の形態４．
図１３は、本実施の形態における灯具の正面図であり、図１４は、図１３に示す灯具のＡ−Ｂ断面図である。
【００６６】
図１３、図１４に記載の灯具は、図１〜図３に記載の灯具の外層部を２つに分けたものである。
【００６７】
図１３、図１４において、図１〜図３と同様の部分においては、同符号を付し、その説明を省略する。
【００６８】
内層部２０１は、ランプの光が照射される照射面側が幅広の状態となる幅広部２０１ａと、照射面側に対する反対の面側（ランプが装着されるランプソケット側）が幅広部２０１ａに対して幅狭となる幅狭部２０１ｂとからなる。
【００６９】
外層部２０５は、内層部２０１の幅広部２０１ａを覆う幅広外層部２０５ａと、内層部２０１の幅狭部２０１ｂを覆う幅狭外層部２０５ｂとを備える。
【００７０】
幅狭外層部２０５ｂの円形の直径は、幅広外層部２０５ａ及び内層部２０１の幅広部２０１ａの円形の直径よりも短い。
【００７１】
内層部２０１の幅広部２０１ａが熱せられた熱は、幅広外層部２０５ａとの間の空気層の対流により放熱される。このとき、内層部２０１の幅広部２０１ａと幅広外層部２０５ａとの距離ａを保ち、対流の流入口から流出口までほぼ直線状となり、さらに流出口は塞がれることがない。そのため、対流が滞り難く、放熱性が向上する。
【００７２】
次に、内層部２０１の幅狭部２０１ｂが熱せられた熱は、幅狭外層部２０５ｂとの間の空気層の対流により放熱される。このとき、内層部２０１の幅狭部と幅狭外層部２０５ｂとの距離ｂを保ち、対流の流入口から流出口までほぼ直線状となり、さらに流出口は塞がれることがない。そのため、対流が滞り難く、放熱性が向上する。
【００７３】
このように、幅広外層部２０５ａと幅狭外層部２０５ｂとを備えたので、より内層部２０１が熱せられた熱は、空気の対流によって放熱され、放射熱によって外層部２０２が熱せられる熱量が小さくなり、外層部２０５の温度はより低くなる。
【００７４】
したがって、内層部２０１と外層部２０５と間の放熱性が向上し、外層部２０５の温度の上昇を更に抑制するという効果を奏する。
【００７５】
この灯具は、実施の形態１と同様に、スポットライト型照明器具、ダウンスポット型照明器具、ユニバーサルダウンライト照明器具などとして用いられる。
【００７６】
なお、本実施の形態では、灯具１に取り付けられるランプとしてハロゲンランプ３を用いる場合を説明したが、ランプの種類はこれに限るものではない。
【図面の簡単な説明】
【００７７】
【図１】実施の形態１における灯具の斜面図である。
【図２】実施の形態１における灯具の正面図である。
【図３】実施の形態１における灯具の断面図である。
【図４】実施例１を示す照明器具の斜視図である。
【図５】実施例２を示す照明器具の斜視図である。
【図６】実施例３を示す照明器具の斜視図である。
【図７】実施の形態２における灯具の斜面図である。
【図８】実施の形態２における灯具の正面図である。
【図９】実施の形態２における灯具の断面図である。
【図１０】実施の形態３における灯具の正面図である。
【図１１】実施の形態３における灯具の断面図である。
【図１２】実施の形態３における灯具の他の形態を示す断面図である。
【図１３】実施の形態４における灯具の正面図である。
【図１４】実施の形態４における灯具の断面図である。
【符号の説明】
【００７８】
１  灯具、２  灯具本体、３  ハロゲンランプ、４  ランプソケット、５  反射板、６  アーム部、７  特殊ボルト、８  ナット、９  ツマミネジ、１０  ナット、１３  放熱孔、２０１  内層部、２０１ａ  幅広部、２０１ｂ  幅狭部、２０２、２０２ａ、２０４、２０５  外層部、２０３  連結部、２０５ａ  幅広外層部、２０５ｂ  幅狭外層部、３００ａ、３００ｂ、３００ｃ  照明器具、３０２ａ、３０２ｂ、３０３ｃ  器具本体。
【図１】
2010027450.tif 000004
【図２】
2010027450.tif 000005
【図３】
2010027450.tif 000006
【図４】
2010027450.tif 000007
【図５】
2010027450.tif 000008
【図６】
2010027450.tif 000009
【図７】
2010027450.tif 000010
【図８】
2010027450.tif 000011
【図９】
2010027450.tif 000012
【図１０】
2010027450.tif 000013
【図１１】
2010027450.tif 000014
【図１２】
2010027450.tif 000015
【図１３】
2010027450.tif 000016
【図１４】
2010027450.tif 000017